(57)【要約】【課題】  フリーアドレスオフィスのデスク上に設置されたＩＰ電話機を、一時的に自分の電話機として使用する。【解決手段】  ＩＰ電話機１０は、ログイン処理部１０−５１、ログアウト処理部１０−５２、設定値記憶部１０−６を備え、ログイン処理部は、利用者のユーザーＩＤとパスワードが入力されるとＩＰ電話機１０のＩＰアドレスと、ユーザーＩＤおよびパスワードを設定管理サーバ２０に送信し、ログイン要求を行なう。設定管理サーバ２０は、ログイン要求を受信すると、ユーザー認証を行ない、管理データベースから当該ユーザーに割当てられた電話番号とユーザーによって入力されたユーザー入力情報を取得し、前記ＩＰアドレスと関連付けて登録するとともに、当該ＩＰ電話機１０に電話番号を含む設定情報を送信し、当該ＩＰ電話機１０をユーザーに割当てられた電話番号およびユーザー入力情報で使用できるようにする。【選択図】        図４
2007142621.tif 000002
【特許請求の範囲】
【請求項１】
複数のＩＰ電話機と、前記各ＩＰ電話機を使用するユーザーの情報と当該ユーザーに割当てられた電話番号とユーザーによって入力された前記各ＩＰ電話機のユーザー入力情報とを含むデータベースを格納する設定管理サーバと、前記各ＩＰ電話機に固有のアドレスとこれらのアドレスに関連付けられた電話番号とを含むデータベースを使用することによって前記各ＩＰ電話機間の接続制御を行なう接続制御サーバと、から成り、それぞれがネットワークによって接続されたＩＰ電話システムにおいて、
前記ＩＰ電話機は、認証時にユーザーによって入力されたユーザー認証情報と当該ＩＰ電話機固有のアドレスとを送出するログイン手段と、前記設定管理サーバから受信した当該ユーザーに割当てられた電話番号と前記各ＩＰ電話機のユーザー入力情報とを記憶するユーザー情報記憶手段と、を備え、
前記設定管理サーバは、前記ＩＰ電話機から受信したユーザー認証情報を認証するユーザー認証手段と、前記ユーザー認証の結果、権限があると認められた場合に、設定管理サーバから当該ユーザーに割当てられた電話番号と前記各ＩＰ電話機のユーザ入力情報とを含むデータを前記ＩＰ電話機に送出する設定情報配信手段と、を備え、
前記接続制御サーバは、前記ログイン後に前記ＩＰ電話機から送信される当該ＩＰ電話機の固有のアドレスと前記ユーザーに割当てられた電話番号と関連付けて登録する登録手段と、を備え、
前記ＩＰ電話機をユーザーの要求に応じ、該ユーザーの電話番号で使用し、かつ、受信したユーザー入力情報を使用するようになしたことを特徴とするＩＰ電話システム。
【請求項２】
前記ＩＰ電話機は、前記ユーザー情報記憶手段に記憶されている電話番号およびユーザー入力情報を削除し、前記接続制御サーバに登録削除要求を送出するログアウト手段を備え、
前記接続制御サーバは、前記ＩＰ電話機から受信した登録削除要求に応じて、登録された電話番号を取り消し、前記電話番号および設定情報に基づく前記ＩＰ電話機の使用を不能にすることを特徴とする請求項１に記載のＩＰ電話システム。
【請求項３】
前記ログアウト手段は、所定の時間または時刻が経過すると動作することを特徴とする請求項２に記載のＩＰ電話システム。
【請求項４】
前記設定管理サーバのデータベースは、それぞれのＩＰ電話機が電話番号を変更して使用可能なフリーアドレス対応電話機か否かを示す設定情報を含み、
前記ＩＰ電話機は、運用開始前に、前記設定管理サーバから当該ＩＰ電話機がフリーアドレス対応電話機かどうかを示す設定情報を取得し、当該ＩＰ電話機がフリーアドレス対応電話機の場合には、前記ログイン手段を動作させることを特徴とする請求項１から３のいずれか１項に記載のＩＰ電話システム。
【請求項５】
前記設定管理サーバのデータベースは、それぞれのＩＰ電話機に割当てられた初期電話番号と初期ユーザー入力情報を含み、
前記設定管理サーバの設定情報配信手段は、前記初期電話番号と前記初期ユーザー入力情報を前記ＩＰ電話機の運用開始前に、前記ＩＰ電話機に送出し、
前記ＩＰ電話機は当該ＩＰ電話機の固有のアドレスと前記初期電話番号と、前記初期ユーザー入力情報とを送出し、前記接続制御サーバに登録を行ない、
前記ＩＰ電話機は、当該ＩＰ電話機がフリーアドレス対応電話機の場合には、ユーザーによるログイン要求が生じるまで前記初期電話番号と前記初期ユーザー入力情報で当該ＩＰ電話機を使用するようになしたことを特徴とする請求項４に記載のＩＰ電話システム。
【請求項６】
前記ＩＰ電話機は電源投入時には前記接続制御サーバへの登録処理を行うことなく待機することを特徴とする請求項１に記載のＩＰ電話システム。
【発明の詳細な説明】
【技術分野】
【０００１】
本発明は、ＶｏＩＰ（Ｖｏｉｃｅ  ｏｖｅｒ  Ｉｎｔｅｒｎｅｔ  Ｐｒｏｔｏｃｏｌ）を使用するＩｎｔｅｒｎｅｔ  Ｐｒｏｔｏｃｏｌ電話機（以下ＩＰ電話機と称する）と、ＩＰ電話の初期設定を行なう機能を有するネットワーク設定管理サーバとを含むＩＰ電話システムに関するものであり、特に、オフィス等においてデスク上のＩＰ電話機を一時的に自己の電話機として使用できるようにするフリーアドレス対応ＩＰ電話システムに関するものである。
【背景技術】
【０００２】
近年、ＩＰネットワークを使用したＩＰ電話サービスが行なわれている。ＩＰ電話システムにおいて、音声はディジタル化され、さらにＩＰパケットに変換され、ＩＰネットワーク上を流れ、通話先まで到達する。通話先において受信されたＩＰパケットは元の情報に復元され、こうして送り側と通話先との間で通話を行なうことができる。このＩＰ電話システムは、既存の電話網と比べて、運用・保守・管理コストを削減することができるため、広く使用されつつある。
【０００３】
ＩＰネットワークでは、ＩＰアドレスのような機器に割当てられたアドレスを使用することによって相手を一意に認識する必要がある。このため、一般に、ゲートキーパと呼ばれる装置を使用する。ゲートキーパは、ＩＰ電話機に割当てられた電話番号とＩＰアドレスとを関連付けたデータベースを管理しており、ＩＰ電話機からの電話番号の指定に応じ、対応するＩＰアドレスを検索することによって、通話先のＩＰ電話のＩＰアドレスを指定できるようにする。
【０００４】
例えば、特許文献１（特開２００４−１４７１０１号公報）に開示されたＩＰ電話システムにおいては、ＩＰ電話機の運用開始前に、ＩＰ電話機からＭＡＣアドレスおよびＩＰアドレスを受信し、そのネットワークアドレスに含まれるアドレスに基づいて予め設定された電話番号を採番してＩＰ電話機に通知するとともに、電話番号、ＩＰアドレスおよびＭＡＣアドレスを関連づけて登録・管理する電話番号採番手段を備えたゲートキーパ装置を開示している。上記特許文献１で開示されたような装置を使用すると、ユーザー端末ごとに、電話番号などの固有のアドレスや設定情報を電源投入時等に自動的に設定することができる。
【０００５】
また、多くの企業やオフィスでは、個人のデスクや固定席を設けず、空いているデスクを複数のワーカーが自由に使用するフリーアドレスオフィスの導入が進んでいる。例えば、ほとんど外回りをしている営業部門や、派遣業務が多いシステム開発部門等では、「一人一席」の場合に比べてデスクの数を２分の１から５分の１まで減らすことができ、スペースの大幅な縮小が可能となっている。
【０００６】
フリーアドレスオフィイスにおいては、ワーカーがどのデスクを使用して勤務してもデスクに設置してある電話を当該ワーカー固有の電話番号を持つ自分自身の電話として使用できると便利である。
【０００７】
例えば、下記の特許文献２（特開２００４−１０４８９号公報）には、利用者がオフィス内を移動した場合、利用者自らが移動先に設置されているＩＰ電話機の電話番号を変更できるようにしたＩＰ電話機、ＩＰ電話システム、および、アドレス情報変更要求方法が開示されている。
【０００８】
特許文献２に開示されたＩＰ電話システムは、ＩＰ電話システムに付与されたＩＰアドレスと電話番号との対応関係を変更する指示を各ＩＰ電話機から送出できるように構成したものである。すなわち、このＩＰ電話システムは、新たに設定したい電話番号を格納したＩＰパケットに、電話番号とＩＰアドレスとの対応関係を変更するためのＩＰパケットであることを示すデータを持たせ、サーバ側ではそのＩＰパケットを受け付けると、電話番号とＩＰアドレスとの対応関係を変更するように構成されている。
【特許文献１】特開２００４−１４７１０１号公報
【特許文献２】特開２００４−１０４４８９号公報
【発明の開示】
【発明が解決しようとする課題】
【０００９】
フリーアドレスオフィスの導入に際して問題となるのが、電話の問題である。個人的に連絡をとる場合、携帯電話等の手段を使用するか、デスクに配線されたＬＡＮに接続したコンピュータのソフトフォンにより電話をその都度開通させる必要がある。また、フリーアドレスオフィスのデスク上に置かれたＩＰ電話機を使用する場合、上記特許文献１に開示されている機器を使用したＩＰ電話システムであると、ＩＰ電話機の電話番号が機器ごとに固定されてしまい、一時的に自分の電話機として使用することは難しい。
【００１０】
また、上記特許文献２に開示されたＩＰ電話システムでは、ユーザーがオフィス内を移動した場合、利用者自らが移動先に設置されているＩＰ電話機の電話番号を変更することは可能であるが、ユーザーが設定した情報を変更する手段は提供されていない。このため、
ユーザーが入力したユーザー入力情報（例えば、着信番号や発信番号が設定できるラインボタン情報、着信音設定、ワンタッチダイヤル設定、電話帳、メモ）まで反映した自分の電話機として使用することは難しい。
【００１１】
したがって、本発明の主な目的は、フリーアドレスオフィスのデスクに設置されるようなＩＰ電話機の電話番号を容易に変更できるようにすることにより、一時的に特定のユーザー専用の電話機として使用できるＩＰ電話システムを提供することである。
【００１２】
また、本発明の更なる目的は、ＩＰ電話機ごとに電話番号とユーザー入力情報を変更できるかどうかの設定を管理者が行なうことのできるＩＰ電話システムを提供することである。
【００１３】
また、本発明の更なる目的は、ＩＰ電話機を、通常時には予め電話機に設定された電話番号とユーザー入力情報で使用し、ユーザーの要求に応じて一時的に電話番号とユーザー入力情報を変更して使用できるＩＰ電話システムを提供することである。
【課題を解決するための手段】
【００１４】
前記課題を解決するために、本願の請求項１に係る発明は、複数のＩＰ電話機と、前記各ＩＰ電話機を使用するユーザーの情報と当該ユーザーに割当てられた電話番号とユーザーによって入力された前記各ＩＰ電話機のユーザー入力情報とを含むデータベースを格納する設定管理サーバと、前記各ＩＰ電話機に固有のアドレスとこれらのアドレスに関連付けられた電話番号とを含むデータベースを使用することによって前記各ＩＰ電話機間の接続制御を行なう接続制御サーバと、から成り、それぞれがネットワークによって接続されたＩＰ電話システムにおいて、前記ＩＰ電話機は、認証時にユーザーによって入力されたユーザー認証情報と当該ＩＰ電話機固有のアドレスとを送出するログイン手段と、前記設定管理サーバから受信した当該ユーザーに割当てられた電話番号と前記各ＩＰ電話機のユーザー入力情報とを記憶するユーザー情報記憶手段と、を備え、前記設定管理サーバは、前記ＩＰ電話機から受信したユーザー認証情報を認証するユーザー認証手段と、前記ユーザー認証の結果、権限があると認められた場合に、設定管理サーバから当該ユーザーに割当てられた電話番号と前記各ＩＰ電話機のユーザー入力情報とを含むデータを前記ＩＰ電話機に送出する設定情報配信手段と、を備え、
前記接続制御サーバは、前記ログイン後に前記ＩＰ電話機から送信される当該ＩＰ電話機の固有のアドレスと前記ユーザーに割当てられた電話番号とを送出し、両者を関連付けて登録する登録手段と、を備え、
前記ＩＰ電話機をユーザーの要求に応じ、該ユーザーの電話番号で使用し、かつ、受信したユーザー入力情報を使用するようになしたことを特徴とする。
【００１５】
また、本願の請求項２に係る発明は、請求項１に記載のＩＰ電話システムであって、前記ＩＰ電話機は、前記ユーザー情報記憶手段に記憶されている電話番号およびユーザー入力情報を削除し、前記接続制御サーバに登録削除要求を送出するログアウト手段を備え、前記接続制御サーバは、前記ＩＰ電話機から受信した登録削除要求に応じて、登録された電話番号を取り消し、前記電話番号および設定情報に基づく前記ＩＰ電話機の使用を不能にすることを特徴とする。
【００１６】
また、本願の請求項３に係る発明は、請求項２に記載のＩＰ電話システムであって前記ログアウト手段は、所定の時間または時刻が経過すると動作することを特徴とする。
【００１７】
また、本願の請求項４に係る発明は、請求項１から３のいずれか１項に記載のＩＰ電話システムであって、前記設定管理サーバのデータベースは、それぞれのＩＰ電話機が電話番号を変更して使用可能なフリーアドレス対応電話機か否かを示す設定情報を含み、前記ＩＰ電話機は、運用開始前に、前記設定管理サーバから当該ＩＰ電話機がフリーアドレス対応電話機かどうかを示す設定情報を取得し、当該ＩＰ電話機がフリーアドレス対応電話機の場合には、前記ログイン手段を動作させることを特徴とする。
【００１８】
また、本願の請求項５に係る発明は、請求項４に記載のＩＰ電話システムであって、前記設定管理サーバのデータベースは、それぞれのＩＰ電話機に割当てられた初期電話番号と初期ユーザー入力情報を含み、前記設定管理サーバの設定情報配信手段は、前記初期電話番号と初期ユーザー入力情報を前記ＩＰ電話機の運用開始前に、前記ＩＰ電話機に送出し、前記ＩＰ電話機は当該ＩＰ電話機の固有のアドレスと前記初期電話番号と、前記初期ユーザー入力情報とを送出し、前記接続制御サーバに登録を行ない、前記ＩＰ電話機は、当該ＩＰ電話機がフリーアドレス対応電話機の場合には、ユーザーによるログイン要求が生じるまで前記初期電話番号と初期ユーザー入力情報で当該ＩＰ電話機を使用するようになしたことを特徴とする。
【００１９】
また、本願の請求項６に係る発明は、請求項１に記載のＩＰ電話システムであって、前記ＩＰ電話機は電源投入時には前記接続制御サーバへの登録処理を行うことなく待機することを特徴とする。
【発明の効果】
【００２０】
請求項１に係る発明においては、オフィス等に設置された複数のＩＰ電話機の運用開始時に、それぞれログインしたユーザーに割当てられた電話番号とユーザー入力情報を各ＩＰ電話機に容易に設定できるようになり、フリーアドレスオフィスに設置されたＩＰ電話機を一時的に自己の電話機として使用できるようになる。またログイン手段はユーザー情報の入力を求めるため、権限のないユーザーはＩＰ電話機を使用することができず、セキュリティ向上を達成できる。
【００２１】
また、請求項２に係る発明においては、ＩＰ電話機にログオフ手段を備えることによって、ユーザーによるＩＰ電話機使用終了時に、ユーザーに割当てられた電話番号で当該ＩＰ電話機を使用することを中止できるようになる。
【００２２】
また、請求項３に係る発明においては、ＩＰ電話機を所定の時間または所定の時刻にログオフさせることにより、ユーザーがログオフ処理を忘れたような場合でも、自動的にログオフ処理を行ない、複数のＩＰ電話機が同一の電話番号で使用されることを防止できるようになる。
【００２３】
また、請求項４に係る発明においては、管理者がそれぞれのＩＰ電話機を、電話番号を変更して使用できるか否かを予め設定することができ、各ＩＰ電話機は、その設定に基づいて固定の電話番号またはログインするユーザーに割当てられた電話番号で使用することができるようになる。
【００２４】
また、請求項５に係る発明においては、ＩＰ電話機に初期電話番号と初期ユーザー入力情報を設定しておき、ユーザーがログインすると、そのユーザーに割当てられた電話番号とユーザー入力情報でそのＩＰ電話機を一時的に使用することができるようになる。
【００２５】
また、請求項６に係る発明においては、電源投入時には接続制御サーバへの登録処理を行うことなく待機することにより、電話帳などのセキュリティが向上し、また、不要な登録処理を防止することができる。
【発明を実施するための最良の形態】
【００２６】
以下、本発明の具体例を実施例及び図面を用いて詳細に説明する。但し、以下に示す実施形態は、本発明の技術思想を具体化するための携帯電話を例示するものであって、本発明をこのＩＰ電話システムに特定することを意図するものではなく、特許請求の範囲に含まれるその他の実施形態のＩＰ電話システムにも等しく適応し得るものである。
【実施例１】
【００２７】
本発明の実施例１にかかるフリーアドレス対応ＩＰ電話システムを、図１から図８を参照して説明する。図１は、本発明のフリーアドレス対応ＩＰ電話システムの全体概略図である。フリーアドレス対応ＩＰ電話システムは、ＬＡＮ等のネットワーク１にそれぞれ接続された複数のＩＰ電話機１０、設定管理サーバ２０、接続制御サーバ３０、管理者用ＰＣ装置４０を備える。図１では、一例として三台のＩＰ電話機（ＩＰ電話機Ａ、ＩＰ電話機Ｂ、ＩＰ電話機Ｃ）が接続されているものとする。
【００２８】
図２は、ネットワークに接続された設定管理サーバ２０の全体概略図である。設定管理サーバ２０は、ネットワーク１に接続された各ＩＰ電話機１０を動作させるための各種設定情報（IPアドレス、MACアドレス、サーバ設定情報など）を管理したり、各ＩＰ電話機を使用するユーザーに関する情報（ユーザーID、パスワード、ユーザー設定情報、ユーザー入力情報など）を管理したりするものであり、管理者の準備するサーバ用コンピュータ、パーソナルコンピュータと必要なソフトウエアを使用して構成することができる。設定管理サーバ２０は、ネットワーク制御部２１、メイン制御部２２、ユーザー認証部２３、設定要求処理部２４、登録要求処理部２５、データベース管理部２６を備える。さらに設定管理サーバ２０は、ユーザー管理テーブル２７、端末管理テーブル２８、ＩＰアドレス−電話番号管理テーブル２９から成る管理データベースを備える。
【００２９】
ネットワーク制御部２１は、設定管理サーバ２０をネットワークに接続し、ネットワーク１に接続された各ＩＰ電話機１０と通信を可能にするためのものであり、設定管理サーバ２０において生成されるデータを適切なデータ形式に変換し、各ＩＰ電話機１０等に送信し、また、ＩＰ電話機１０からの信号を受信し、設定管理サーバ２０で使用できる形式に変換するものである。メイン制御部２２は、設定管理サーバ２０の各種制御・処理を実行するものであり、図示しないメモリに記憶されたプログラムを、図示しないＣＰＵによって実行することにより実現される。
【００３０】
ユーザー認証部２３は、各ＩＰ電話機１０から認証時にユーザーが入力したユーザー認証情報（ユーザーＩＤとパスワード）を含むログイン要求を受信した際に、ユーザー管理テーブル２７にアクセスし、権限があるかどうか判定を行なう。設定要求処理部２４は、各ＩＰ電話機１０からログイン要求・ログアウト要求等各種設定要求を受信した場合に、それを解読し各種処理を実行する。登録要求処理部２５は、後述するが、ユーザー管理テーブル２７に記憶されているユーザーごとに割当てられた電話番号と、ログイン要求を受信したＩＰ電話機のＩＰアドレスとを関連付けてＩＰアドレス−電話番号管理テーブル２９に登録するとともに、接続制御サーバ３０に上記電話番号とＩＰアドレスとを登録し、通話が行なえるようにする。
【００３１】
また、各ＩＰ電話機１０から受信するログアウト要求に応じて、ＩＰアドレス−電話番号管理テーブル２９から登録を削除するとともに、接続制御サーバ３０へ上記電話番号とＩＰアドレスの登録削除要求を送出する。なお、ここで設定管理サーバ２０は各種設定情報やユーザー情報を管理し、登録・登録削除の処理を行ない、接続制御サーバ３０は管理サーバ２０によって行なわれる登録情報に基づいてＩＰ電話機の接続を主に行なうものとしたが、接続制御サーバ３０と管理サーバ２０を一つの装置にまとめ、各種設定情報またユーザー情報の管理と接続制御を一つの装置において動作させてもよい。
【００３２】
図３Ａは、管理データベースに含まれるユーザー管理テーブル２７の一例を示す図である。ユーザー管理テーブル２７は、ＩＰ電話機を使用する権限を有するユーザーのユーザーＩＤ２７−１、各ユーザーのパスワード２７−２、ユーザーごとに割当てられた電話番号２７−３、サーバ登録を行うパラメータであるサーバ設定情報、ユーザーの入力によって行われる設定情報（例えば、着信番号や発信番号が設定できるラインボタン情報、着信音設定、ワンタッチダイヤル設定）、ユーザーの個人情報（例えば、電話帳、メモ）をそれぞれ関連付けて記憶している。図３Ａでは、第一のユーザーのユーザーＩＤは、「００１０」、パスワードは「２０９５１２」、第一のユーザーに管理者から割当てられた電話番号は「１１１１」であることが示されている。第二、第三のユーザーに対してもそれぞれ図示する各ユーザー情報が保持される。
【００３３】
図３Ｂは、管理データベースに含まれる端末管理テーブル２８の一例を示す図である。端末管理テーブル２８は、各ＩＰ電話機のＩＰアドレス２８−１とバードウェアに付与された固有のID番号であるＭＡＣアドレス２８−２を関連付けて記憶している。図３Ｂでは、ＩＰアドレスとしてＩＰ電話機Ａには「２４５．２６３．１１２．１」、ＩＰ電話機Ｂには「２４５．２６３．１１２．２」、ＩＰ電話機Ｃには「２４５．２６３．１１２．３」が割当てられていることが示されている。
【００３４】
図３Ｃは、管理データベースに含まれるＩＰアドレス−電話番号管理テーブル２９の一例を示す図である。ＩＰアドレス−電話番号管理テーブル２９は、ＩＰ電話機のＩＰアドレス２９−１と、そのＩＰ電話機を使用するユーザーに割当てられた電話番号２９−２とを関連付けて保持したものである。ＩＰ電話機Ａ（ＩＰアドレスは２４５．２６３．１１２．１）を第二のユーザー（ユーザーＩＤは００１１、割当てられた電話番号は２２２２）が使用する場合、ＩＰアドレス２９−１の欄には「２４５．２６３．１１２．１」が保持され、電話番号２９−２の欄には、「２２２２」が保持される。
【００３５】
なお、図示していないが、接続制御サーバ３０にはこのＩＰアドレス−電話番号管理テーブル２９と同様のデータベースが備えられており、ログイン、認証処理後に各ＩＰ電話機から送信される登録要求に従って、各ＩＰ電話機のＩＰアドレス−そのＩＰ電話機を費用するユーザー（ログインしたユーザー）に割当てられた電話番号を関連付けて記憶される。接続制御サーバ３０はこのデータベースに登録された各ＩＰ電話機のＩＰアドレス−電話番号に基づいて呼の接続制御を行う。  図４は、ＩＰ電話機１０の概略構成を示す図である。ＩＰ電話機１０は、スピーカやマイク等を含む音声入出力部１０−１を備え、音声入出力部１０−１から入力された音声は、音声コーディック１０−２においてディジタル符号化され、制御部１０−５へ送られる。制御部１０−５は各種処理部１０−５３を備え、各種処理部１０−５３において音声はパケット化されると同時に必要な通信情報を付加され、インターフェース１０−７においてＩＰパケットとしてネットワーク１へ送出される。ネットワーク１から受信したＩＰパケットは、制御部１０−５の各種処理部１０−５３において適切な順序に並べられ、さらに音声コーディック１０−２において復元処理され、音声入出力部１０−１から発話される。
【００３６】
さらにＩＰ電話機１０は、各種情報を表示するための表示部１０−３、電話番号の入力、ユーザーＩＤ、パスワード等の入力を行なうための入力部１０−４、ＩＰ電話機に設定されているＩＰアドレス、ユーザーによって入力されるユーザーＩＤ、パスワード等のユーザー情報、また管理サーバから受信したＩＰ電話機の電話番号、ユーザーによって入力されたユーザー入力情報（ユーザー設定情報とユーザー個人情報）を記憶する設定値記憶部１０−６を備える。これらのユーザー入力情報は設定管理サーバ２０に送信され、その管理データベースに記憶される。また、ログイン、ログアウト時には必要に応じて接続制御サーバ３０にも送信される。
【００３７】
制御部１０−５は、上述した各種処理部１０−５３に加えて、ログイン処理部１０−５１、ログアウト処理部１０−５２を備える。ログイン処理部１０−５１は、ＩＰ電話機の電源投入時に、或いはＩＰ電話機を使用するユーザーから要求があった場合に、ユーザーＩＤ、パスワードの入力を受付ける。またユーザーがユーザーＩＤ、パスワードの入力を行なうと、入力されたユーザーＩＤおよびパスワードを、ＩＰ電話機に付与されているＩＰアドレスとともに、設定管理サーバ２０に対して送出し、ログイン要求を行なう。
【００３８】
ログアウト処理部１０−５２は、ユーザーの要求に応じ、ユーザーＩＤ，パスワードをＩＰアドレスとともに設定管理サーバ２０に対して送出し、ログアウト要求を行なう。また、設定値記憶部１０−６に記憶されているユーザーＩＤ、パスワード等のユーザー情報およびユーザーに割当てられた電話番号、ユーザー入力情報を削除する。制御部１０−５において行なわれる上記の処理は、実際には図示しないＲＯＭ等に記憶されたソフトウエアプログラムを、ＣＰＵ等により実行することにより実現される。
【００３９】
次に、図５、図６を参照して、ＩＰ電話機の電源投入時におけるＩＰ電話機１０および設定管理サーバ２０の処理について説明する。図５は、ＩＰ電話機における電源投入時の動作フローチャートである。図６は、ＩＰ電話機の電源投入時の設定管理サーバにおける動作フローチャートである。
【００４０】
ＩＰ電話機１０の電源が投入されると、まず図５のステップＳ−５０１において、ＩＰ電話機１０のログイン処理部１０−５１は、ログイン受付を行ない、ユーザーによるユーザーＩＤとパスワードの入力を求める。続くステップＳ−５０２において、ユーザーＩＤ、パスワードの入力が行なわれるまで待機し、ユーザーＩＤ、パスワードの入力があると、続くステップＳ−５０３に進む。ステップＳ−５０３では、入力されたユーザーＩＤとパスワードを、設定値記憶部１０−６に保持されたＩＰ電話機のＩＰアドレスとともに設定管理サーバ２０に送出し、ログイン要求を行なう。
【００４１】
例えば、第二のユーザーがＩＰ電話機Ａを使用しようと思い、ＩＰ電話機Ａの電源を投入すると、ＩＰ電話機Ａは、第二のユーザーに対してログイン受付を行なう。第二のユーザーが自分のユーザーＩＤである「００１１」とパスワードである「３４１６８３」を入力すると、ＩＰ電話機Ａは、入力されたユーザーＩＤとパスワードを、自己のＩＰアドレス「２４５．２６３．１１２．１」とともに設定管理サーバ２０に送出しログイン要求を行なう。
【００４２】
設定管理サーバ２０の設定要求処理部２４は、図６のステップＳ−６０１において各ＩＰ電話機１０からのログイン要求を待機しており、ログイン要求を受信すると、ステップＳ−６０２に進み、ユーザー認証を行なう。ユーザー認証は、設定要求処理部２４からの指示により、ユーザー認証部２３が設定管理サーバ２０のユーザー管理テーブル２７にアクセスすることにより実行され、受信したユーザーＩＤとパスワードを照合し、権限があるかどうかを判定する。上記の例の場合、ユーザーＩＤ「００１１」にＩＰ電話機の使用権限があるか、パスワード「３４１６８３」が正しいかどうかを認証する。
【００４３】
図６のステップＳ−６０３において、ユーザーに権限がない場合、ステップＳ−６０４に進み、ユーザー認証に失敗したことをログイン要求のあったＩＰ電話機１０に通知し、ステップＳ−６０１に戻ってログイン要求を待機する。ＩＰ電話機１０は、設定管理サーバ２０からユーザー認証に失敗したことを受信すると、図５のステップＳ−５０４において、ログインに失敗したと判断し、ステップＳ−５０１に戻り、ログイン受付けを行なう。
【００４４】
設定管理サーバ２０の設定要求処理部２４は、図６のステップＳ−６０１において各ＩＰ電話機１０からのログイン要求を待機しており、ログイン要求を受信すると、ステップＳ−６０２に進み、ユーザー認証を行なう。ユーザー認証は、設定要求処理部２４からの指示により、ユーザー認証部２３が設定管理サーバ２０のユーザー管理テーブル２７にアクセスすることにより実行され、受信したユーザーＩＤとパスワードを照合し、権限があるかどうかを判定する。上記の例の場合、ユーザーＩＤ「００１１」にＩＰ電話機の使用権限があるか、パスワード「３４１６８３」が正しいかどうかを認証する。
【００４５】
図６のステップＳ−６０３において、ユーザーに権限がない場合、ステップＳ−６０４に進み、ユーザー認証に失敗したことをログイン要求のあったＩＰ電話機１０に通知し、ステップＳ−６０１に戻ってログイン要求を待機する。ＩＰ電話機１０は、設定管理サーバ２０からユーザー認証に失敗したことを受信すると、図５のステップＳ−５０４において、ログインに失敗したと判断し、ステップＳ−５０１に戻り、ログイン受付けを行なう。
【００４６】
図６のステップＳ−６０３においてユーザーに権限がある場合には、管理設定サーバ２０の設定要求処理部２４は続くステップＳ−６０５において、ユーザー管理テーブル２７から当該ユーザーに割当てられた電話番号、サーバ設定情報と、ユーザー設定情報、ユーザー個人情報等のユーザー入力情報を取得し、また端末管理テーブル２８からログイン要求のあったＩＰ電話機に対するＭＡＣアドレスを取得する。上記の例の場合、第二のユーザーに割当てられた電話番号「２２２２」をユーザー管理テーブル２７から取得すると同時に、端末管理テーブル２８からＩＰ電話機ＡのＭＡＣアドレス「ＭＡＣ３」を取得する。そして管理設定サーバ２０はステップＳ−６０６に進み、電話番号、サーバ設定情報、ユーザー設定情報、ユーザー個人情報をＩＰ電話機に送信する。
次いで、ステップＳ−６０７において、登録要求処理部２５は、ログイン要求のあったＩＰ電話機のＩＰアドレスとユーザー管理テーブル２７から取得した電話番号を関連付け、ＩＰアドレス−電話番号管理テーブル２９に登録する。上記の例の場合、ＩＰ電話機ＡのＩＰアドレスである「２４３．２６３．１１２．１」と第二のユーザーに割当てられた電話番号である「２２２２」が関連付けられ、ＩＰアドレス−電話番号管理テーブル２９に登録される。
【００４７】
図５のステップＳ−５０５において、ＩＰ電話機１０は、設定管理サーバ２０から送信されてきた電話番号、サーバ設定情報、ラインボタン情報や電話帳等のユーザー入力情報を取得し、続くステップＳ−５０６において、取得情報を設定値記憶部１０−６に記憶する。またステップＳ−５０７では、上記ＩＰアドレスと電話番号を接続制御サーバ３０に登録要求とともに送信し登録する。これによりＩＰ電話機１０は、ログインを行なったユーザーに割当てられている電話番号とユーザー入力情報で使用できるようになる。上記の例の場合、第二のユーザーに割当てられている電話番号「２２２２」、サーバ設定情報、ラインボタン情報や電話帳等のユーザー入力情報が設定値記憶部１０−６に記憶され、ＩＰ電話機Ａは、電話番号「２２２２」やユーザー入力情報で使用することができるようになる。
【００４８】
次に、図７、図８を参照してＩＰ電話機のログアウト時における処理について説明する。図７は、ＩＰ電話機のログアウト時における動作を示すフローチャートである。図８は、接続制御サーバおよび設定管理サーバにおけるＩＰ電話機のログアウト時の動作を示すフローチャートである。
【００４９】
まず、図７のステップＳ−７０１において、ＩＰ電話機１０は、ログアウト要求を受付けている。ログアウト要求は、一例として、各ＩＰ電話機１０を使用するユーザーが入力部１０−４を操作することによって行なわれる。ユーザーは退社時等にログアウトメニューを選択しログアウト要求を行なう。別の例として、ログアウト要求は、設定管理サーバ２０によって予め時刻が設定されており、設定管理サーバ２０からのログアウト勧告通知をユーザーが確認することにより行なわれるものとしてもよい。或いは、ＩＰ電話機１０にタイマーを内蔵し、所定の時刻になるとログアウト要求を行なうようにしてもよい。
【００５０】
ログアウト要求を受けると、ＩＰ電話機１０のログアウト処理部１０−５２は、続くステップＳ−７０２において、登録削除要求を、ＩＰ電話機のＩＰアドレスに付加して設定管理サーバ２０、接続管理サーバ３０に通知する。そしてステップＳ−７０３では、設定値記憶部１０−６に記憶されていた電話番号、サーバ設定情報、ラインボタン情報や電話帳等のユーザー入力情報を削除する。
【００５１】
設定管理サーバ２０、接続制御サーバ３０は、図８のステップＳ−８０１において、ＩＰ電話機１０からの登録削除要求の受信を待機しており、登録削除要求を受信すると、続くステップＳ−８０２３では、ＩＰアドレス−電話番号管理テーブル２９から該当するＩＰアドレスと電話番号を削除し、当該ＩＰアドレスのＩＰ電話機１０を上記の電話番号では使用できないようにする。
【００５２】
上記実施例１のフリーアドレス対応ＩＰ電話システムによって、オフィス等において社員一人一人の固定席を設けず、空いている席を共有するようなフリーアドレスオフィスにおいて、デスク上に設置されているＩＰ電話機を、社員が一時的に自分の電話番号や自分で入力設定したユーザー設定情報（ラインボタン情報やワンタッチキー等）や自分で入力したユーザー個人情報（電話帳やメモ等）で使用することができるようになる。
【実施例２】
【００５３】
次に、本発明の実施例２にかかるフリーアドレス対応ＩＰ電話システムについて説明する。実施例２のフリーアドレス対応ＩＰ電話システムは、実施例１で説明した図１のフリーアドレス対応ＩＰ電話システムとほぼ同様の構成であるが、ＩＰ電話機Ａ、ＩＰ電話機Ｂ、ＩＰ電話機Ｃのそれぞれの使用タイプが異なる。
【００５４】
ＩＰ電話機Ａは、ユーザーがＩＰ電話機に自分専用の電話番号やユーザー入力情報を設定することのできない固定番号タイプのＩＰ電話機であり、ＩＰ電話機Ｂは、ユーザーがＩＰ電話機に自由に電話番号やユーザー入力情報を設定することのできるフリーアドレス対応タイプのＩＰ電話機であり、ＩＰ電話機Ｃは、ユーザーがログインするまでは、デフォルトの電話番号やユーザー入力情報で使用でき、ユーザーがログインするとユーザーの電話番号やユーザー入力情報で使用できる半フリーアドレス対応タイプのＩＰ電話機である。
【００５５】
実施例２のフリーアドレス対応ＩＰ電話システムは、実施例１と同様にネットワーク１に接続された設定管理サーバ２０を備える。設定管理サーバ２０は、図２に示した設定管理サーバの構成と同様であるので説明を省略するが、設定管理サーバ２０の管理データベースに保持される端末管理テーブル２８’のみが実施例１の設定管理サーバの構成と異なる。
【００５６】
図９は、実施例２における設定管理サーバ２０の管理データベースに格納される端末管理テーブル２８’の一例を示す図である。端末管理テーブル２８’には、ネットワーク１に接続された各ＩＰ電話機１０のＩＰアドレス２８−１’、ハードウェアに付与された固有のID番号であるＭＡＣアドレス２８−２’、各ＩＰ電話機１０をフリーアドレス対応電話機として使用できるか否かを示すフリーアドレスフォン情報２８−３’、各ＩＰ電話機１０に設定されるデフォルト電話番号２８−４’が記録される。
【００５７】
ＩＰ電話機Ａは、固定番号タイプのＩＰ電話機であり、フリーアドレス対応タイプのＩＰ電話機として設定されていないので、端末管理テーブル２８’のフリーアドレスフォン情報２８−３’の欄には「ＮＯ」が記載されている。また、デフォルト電話番号２８−４’の欄には、「４４４４」が設定されている。ＩＰ電話機Ｂは、フリーアドレス対応タイプのＩＰ電話機であるので、端末管理テーブル２８’のフリーアドレスフォン情報２８−３’の欄には「ＹＥＳ」が記載されている。
【００５８】
各ＩＰ電話機１０は、実施例１において説明したＩＰ電話機の構成とほぼ同じであるので、説明を省略するが、実施例１のＩＰ電話機とは、電源投入時に設定管理サーバ２０に接続し、設定情報を読み込むようにプログラムされている点が異なっている。
【００５９】
次に、ユーザーがＩＰ電話機１０の電源を投入した際の、ＩＰ電話機１０、および設定管理サーバ２０の動作処理について図１０、図１１を参照して説明する。図１０は、ＩＰ電話機１０の電源投入時における動作を示したフローチャートである。図１１は、ＩＰ電話機１０の電源投入時の設定管理サーバ２０における動作を示したフローチャートである。
【００６０】
まず図１０のステップＳ−１００１において、ＩＰ電話機１０の電源が投入されると、ＩＰ電話機１０の各種処理部１０−５３は、設定値記憶部１０−６に記憶されているＩＰ電話機１０のＩＰアドレスを取得して送信し、設定管理サーバ２０に対して設定情報要求を行なう。設定管理サーバ２０の設定要求処理部２４は、図１１のステップＳ−１１０１において、設定情報要求を待機しており、ＩＰ電話機１０から設定情報要求を受信すると、その要求に含まれるＩＰ電話機のＩＰアドレスを取得し、端末管理テーブル２８’にアクセスし、当該ＩＰアドレスのＩＰ電話機がフリーアドレス対応電話機かどうかを判断する（ステップＳ−１１０２）。
【００６１】
電源が投入されたＩＰ電話機がＩＰ電話機Ａのように固定番号タイプのＩＰ電話機の場合、端末管理テーブル２８’のフリーアドレスフォン情報２８−３’は「ＮＯ」であるので、設定管理サーバ２０の処理は続くステップＳ−１１０３に進み、設定要求処理部２４は、端末管理テーブル２８’のデフォルト電話番号２８−４’からＩＰ電話機に割当てられたデフォルトの電話番号を取得する。そして、ユーザー管理テーブル２０から電話番号に対応するサーバ設定情報（サーバ登録を行うパラメータ）、ユーザー設定情報（ラインボタン情報やワンタッチキー等）、ユーザー個人情報（電話帳やメモ等）を取得する。次いで、設定要求処理部２４は、ステップＳ−１１０４において、設定情報要求を行なったＩＰ電話機１０に、フリーアドレスフォン情報とデフォルトの電話番号、サーバ設定情報、ユーザー入力情報（ユーザーが入力するユーザー設定情報およびユーザー個人情報）を送出信する。
【００６２】
ＩＰ電話機Ａの場合、フリーアドレスフォン情報「ＮＯ」と電話番号「４４４４」が送信される。ＩＰ電話機１０は、フリーアドレスフォン情報を受信すると、図１０のステップＳ−１００３において、当該ＩＰ電話機がフリーアドレス対応タイプのＩＰ電話機か否かを判定し、電話機Ａのようにフリーアドレス対応タイプではない場合、ステップＳ−１００４に進み、設定管理サーバ２０から送られてきたデフォルトの電話番号、サーバ設定情報、ユーザー入力情報を取得する。そしてステップＳ−１０１１では、受信したデフォルトの電話番号、サーバ設定情報、ユーザー入力情報を設定値記憶部１０−６に記憶する。
【００６３】
図１１のステップＳ−１１０５において、設定管理サーバ２０の登録要求処理部２５は、設定情報要求のあったＩＰ電話機１０のＩＰアドレスと、端末管理テーブル２８’から取得したデフォルトの電話番号を関連付け、設定管理サーバ２０のＩＰアドレス−電話番号管理テーブル２９に登録する。この処理を受けてＩＰ電話機１０は、ステップＳ１０１５の処理において接続制御サーバ３０に上記ＩＰアドレスと電話番号を送信し、登録する。このようにして、ＩＰ電話機Ａの場合、電話番号「４４４４」での使用を開始できる。
【００６４】
図１１のステップＳ−１１０２において、電源の投入されたＩＰ電話機がＩＰ電話機Ｂ、ＩＰ電話機Ｃのようなフリーアドレス対応タイプまたは半フリーアドレス対応電話機の場合、端末管理テーブル２８’のフリーアドレスフォン情報２８−４’は、「ＹＥＳ」であるので、設定管理サーバ２０の処理は続くステップＳ−１１０７に進み、ＩＰ電話機にデフォルトの電話番号が設定されているかどうかを判断する。端末管理テーブル２８’のデフォルト電話番号２８−４’を参照し、デフォルトの電話番号が設定されていない場合（ＩＰ電話機Ｂのように「ＮＯＮ」である場合）、設定管理サーバ２０の設定要求処理部２４はステップＳ−１１０８においてＩＰ電話機に対してログイン指示を行なう。
【００６５】
この設定管理サーバ２０のログイン指示を受けて、ＩＰ電話機１０のログイン処理部１０−５１は、図１０のステップＳ−１００６においてログイン受付けを行ない、ユーザーによるユーザーＩＤ、およびパスワードの入力を待機する。ステップＳ−１００７において、ログイン処理部１０−５１は、ユーザーにより入力されるユーザーＩＤ、およびパスワードを取得すると、取得したユーザーＩＤおよびパスワードを、当該ＩＰ電話機のＩＰアドレスとともに設定管理サーバ２０に送信し、ログイン要求を行なう（ステップＳ−１００８）。
【００６６】
設定管理サーバ２０の設定要求処理部２４は、図１１のステップＳ−１１０９において、ログイン要求とともにユーザーＩＤ、およびパスワードを取得し、次いでユーザー認証部２３はステップＳ−１１１０において、ユーザー管理テーブルに２７にアクセスすることによってユーザー認証を行なう。
【００６７】
続くステップＳ−１１１１では、ユーザー認証が成功したか判定し、権限がない場合等ユーザー認証に失敗した場合には、ステップＳ−１１０８に戻ってログイン指示をＩＰ電話機１０に行なう。ステップＳ−１１１１において、ユーザー認証に成功すると、ステップＳ−１１１２において、設定管理サーバ２０の設定要求処理部２４は、ユーザー管理テーブル２７からユーザーに割当てられた電話番号‘、サーバ設定情報、ユーザー入力情報（ユーザー設定情報およびユーザー個人情報）を取得し、ＩＰ電話機１０に送信する。
【００６８】
さらにステップＳ−１１１３において、登録要求処理部２５は、ユーザーに割当てられた電話番号とログインを行なったＩＰアドレスとを関連付けてＩＰアドレス−電話番号管理テーブル２９に登録する。
【００６９】
図１０のステップＳ−１００９では、設定管理サーバ２０からユーザー認証に成功したか否かの情報を取得し、ユーザー認証に失敗した場合、設定管理サーバ２０からのログイン指示に基づき、ステップＳ−１００６に戻ってログインを受付ける。ユーザー認証に成功した場合、続くステップＳ−１０１０に進み、設定管理サーバ２０から電話番号、サーバ設定情報、ユーザー入力情報を受信し、ステップＳ−１０１１において、取得した電話番号、サーバ設定情報、ユーザー入力情報を設定値記憶部１０−６に記憶させる。さらに、処理はステップＳ−１０１５に進み、ステップＳ１０１０の処理で取得した電話番号と上記のＩＰアドレスとを接続制御サーバ３０に送信し、登録する。これによって、当該ＩＰ電話機１０を、ログインを行なったユーザーに割当てられた電話番号やユーザーによって入力されたラインボタンや電話帳などのユーザー入力情報によって使用することができる。
【００７０】
図１１のステップＳ−１１０７において、ＩＰ電話機Ｃのように当該ＩＰ電話機がフリーアドレス対応タイプのＩＰ電話機ではあるもののデフォルトの電話番号が設定されている場合、処理は続くステップＳ−１１１５に進み、設定要求処理部２４は、端末管理テーブル２８’から取得したデフォルトの電話番号とこの電話番号に対応するサーバ設定情報およびユーザー入力情報をＩＰ電話機１０に送出信する。また、ステップＳ−１１１６において、登録要求処理部２５は、デフォルトの電話番号を該当するＩＰアドレスと対応付けてＩＰアドレス−電話番号管理テーブル２９に登録する。
【００７１】
さらに続くステップＳ−１１１７では、接続制御サーバ３０に、デフォルトの電話番号とＩＰアドレスを送出し、登録する。この処理を受けて、ＩＰ電話機１０は、図１０のステップＳ−１０１２において、設定管理サーバ２０からデフォルトの電話番号、サーバ設定情報、ユーザー入力情報を取得し、ステップＳ−１０１３において、デフォルトの電話番号、サーバ設定情報、ユーザー入力情報を設定値記憶部１０−６に記憶する。そしてステップＳ１０１４においてＩＰアドレスと上記デフォルトの電話番号を接続制御サーバ３０に送信する。これによってＩＰ電話機はデフォルトの電話番号、サーバ設定情報、ユーザー入力情報で使用することができるようになる。さらに、当該ＩＰ電話機は、デフォルトの電話番号が設定されてはいるが、本質的にはフリーアドレス対応タイプなので、設定管理サーバ２０における処理は図１１のステップＳ−１１０８に進み、ＩＰ電話機１０に対してログイン指示を行ない、ＩＰ電話機１０からのログイン要求を待機する。
【００７２】
ＩＰ電話機１０は、設定管理サーバ２０からログイン指示を受信すると、ステップＳ−１００６に進み、ユーザーのログインを受付ける。ＩＰ電話機Ｃの場合、図１１のステップＳ−１１１５では、デフォルトの電話番号である「５５５５」が設定され、ユーザーのログインがあるまでは、その番号でＩＰ電話機Ｃを使用できる。ユーザーがログインすると、その後は、そのユーザーに割当てられた電話番号でＩＰ電話機Ｃを使用する。半フリーアドレス対応タイプのＩＰ電話機の場合、新しい電話番号で登録される際に、それまで使用されていた電話番号は、ＩＰ電話機１０の設定値記憶部１０−６、設定管理サーバ２０のＩＰアドレス−電話番号管理テーブル２９、接続制御サーバ３０から登録削除される。
【００７３】
実施例２に示したフリーアドレス対応ＩＰ電話システムを使用すると、管理者は、ＩＰ電話機ごとにフリーアドレス対応タイプの電話機として使用できるかどうかを設定することが可能となる。また、電話機Ｃのようにデフォルトの電話番号を付与することによって、例えば、会議室に設置されているＩＰ電話機にある電話番号を設定しておき、必要なときにはユーザーが一時的に電話番号を変更して自分のＩＰ電話機として使用することができるようになる。
【００７４】
なお、ＩＰ電話機１０をログアウトする操作が行われた場合、ＩＰ電話機１０は設定管理サーバ２０に対して初期設定情報を要求するか、または、別途ＩＰ電話機１０に格納しておいた初期設定情報によって、初期電話番号と初期ユーザー入力情報を接続制御サーバ３０に送信し、それらの情報を接続制御サーバ３０に登録する。これによってＩＰ電話機１０はログアウトされた時に初期状態に戻る。
【００７５】
また、本発明の実施例においては、設定管理サーバと接続制御サーバが物理的、論理的に別体で存在する例を説明したが、このような構成に限られることなく、設定管理サーバと接続制御サーバが物理的に、あるいは、論理的に１個のサーバにより構成されるシステム構成にすることも可能である。
【図面の簡単な説明】
【００７６】
【図１】本発明の実施例１および実施例２のフリーアドレス対応ＩＰ電話システムの全体概略図である。
【図２】本発明の実施例１および実施例２の設定管理サーバの概略構成を示す図である。
【図３】本発明の実施例１および実施例２の設定管理サーバの管理データベースに格納されるユーザー管理テーブル、端末管理テーブルおよびＩＰアドレス−電話番号管理テーブルの一例を示す図である。
【図４】本発明の実施例１および実施例２のＩＰ電話機の概略構成を示すブロック図である。
【図５】本発明の実施例１においてＩＰ電話機における電源投入時の動作を示すフローチャートである。
【図６】本発明の実施例１においてＩＰ電話機の電源投入時の設定管理サーバにおける動作を示すフローチャートである。
【図７】本発明の実施例１のＩＰ電話機おけるログアウト時の動作フローチャートである。
【図８】本発明の実施例１のＩＰ電話機のログアウト時の接続制御サーバ、設定管理サーバにおける動作を示すフローチャートである。
【図９】本発明の実施例２における設定管理サーバの管理データベースに格納される端末管理テーブルの一例を示す図である。
【図１０】本発明の実施例２のＩＰ電話機における電源投入時の動作を示すフローチャートである。
【図１１】本発明の実施例２の設定管理サーバにおける動作を示すフローチャートである。
【符号の説明】
【００７７】
１０        ・・ＩＰ電話機
１０−５１  ・・ログイン処理部
１０−５２  ・・ログアウト処理部
２０        ・・設定管理サーバ
２３        ・・ユーザー認証部
２４        ・・設定要求処理部
２５        ・・登録要求処理部
２７        ・・・ユーザー管理テーブル
２８        ・・端末管理テーブル
２９        ・・ＩＰアドレス−電話番号管理テーブル
【図１】
2007142621.tif 000003
【図２】
2007142621.tif 000004
【図３】
2007142621.tif 000005
【図４】
2007142621.tif 000006
【図５】
2007142621.tif 000007
【図６】
2007142621.tif 000008
【図７】
2007142621.tif 000009
【図８】
2007142621.tif 000010
【図９】
2007142621.tif 000011
【図１０】
2007142621.tif 000012
【図１１】
2007142621.tif 000013